(57)【要約】吸収体（１０）と肌側シート（２）と非肌側シート（７）とを備えた吸収性物品（１）であって、別体のサイドシート（６）を有し、サイドシート（６）は、肌側折り返し部（６ｆ）と非肌側折り返し部（６ｂ）とを有し、非肌側折り返し部（６ｂ）の先端部は、非肌側接合部（４０）によって非肌側シート（７）に接合されており、非肌側接合部（４０）は、長手方向において、前側部に設けられた第１非肌側接合部（４１）と、後側部に設けられた第２非肌側接合部（４２）と、少なくとも第１非肌側接合部（４１）と第２非肌側接合部（４２）との間に設けられた第３非肌側接合部（４３）とを有し、幅方向において、第３非肌側接合部（４３）は、第１非肌側接合部（４１）及び第２非肌側接合部（４２）よりも内側に位置している。
2020095953.tif 000002
【特許請求の範囲】
【請求項１】
互いに直交する長手方向、幅方向、及び厚さ方向を備え、
吸収体と、
前記厚さ方向において、前記吸収体より肌側に配置された肌側シートと、前記吸収体より非肌側に配置された非肌側シートと、を備えた吸収性物品であって、
前記幅方向において前記吸収体の両側に設けられ、前記肌側シート及び前記非肌側シートとは別体のサイドシートを有し、
前記サイドシートは、前記幅方向の外側端から前記肌側に折り返された肌側折り返し部と、前記非肌側に折り返された非肌側折り返し部と、を有し、
前記肌側折り返し部の先端部は、前記長手方向に沿った一対の肌側接合部によって前記肌側シートの前記肌側に接合されており、
前記非肌側折り返し部の先端部は、前記厚さ方向において前記吸収体と前記非肌側シートとの間で、前記長手方向に沿った一対の非肌側接合部によって前記非肌側シートに接合されており、
前記非肌側接合部は、前記長手方向において、
中央部よりも前側の前側部に設けられた第１非肌側接合部と、
前記中央部よりも後側の後側部に設けられた第２非肌側接合部と、
少なくとも、前記第１非肌側接合部と、前記第２非肌側接合部との間に設けられた第３非肌側接合部と、を有し、
前記幅方向において、前記第３非肌側接合部は、前記第１非肌側接合部及び前記第２非肌側接合部よりも内側に位置している、ことを特徴とする吸収性物品。
【請求項２】
請求項１に記載の吸収性物品であって、
前記幅方向において、前記第３非肌側接合部の外側端は、前記肌側折り返し部の先端よりも内側に位置している、ことを特徴とする吸収性物品。
【請求項３】
請求項１または２に記載の吸収性物品であって、
前記サイドシートは、２枚以上のシート部材が積層された部分を有している、ことを特徴とする吸収性物品。
【請求項４】
請求項３に記載の吸収性物品であって、
前記サイドシートは、前記肌側折り返し部の先端にて、１枚のシート部材が折り返されて積層された２層構造を有している、ことを特徴とする吸収性物品。
【請求項５】
請求項３または４に記載の吸収性物品であって、
前記サイドシートは、前記シート部材が積層されている部分において、対向する前記シート部材同士が接合されている部分と、接合されていない部分とを有している、ことを特徴とする吸収性物品。
【請求項６】
請求項１〜５のいずれか１項に記載の吸収性物品であって、
前記肌側折り返し部の先端が、前記肌側シートと接合されていない、ことを特徴とする吸収性物品。
【請求項７】
請求項１〜６のいずれか１項に記載の吸収性物品であって、
前記肌側接合部では、前記サイドシートと前記肌側シートとが前記厚さ方向に圧搾されている、ことを特徴とする吸収性物品。
【請求項８】
請求項１〜７のいずれか１項に記載の吸収性物品であって、
前記サイドシートは、前記肌側シートよりも疎水性の高いシート部材によって形成されている、ことを特徴とする吸収性物品。
【請求項９】
請求項１〜８のいずれか１項に記載の吸収性物品であって、
前記幅方向において、前記第３非肌側接合部が形成されている部分では、前記非肌側折り返し部が１層である、ことを特徴とする吸収性物品。
【請求項１０】
請求項１〜９のいずれか１項に記載の吸収性物品であって、
前記長手方向の所定位置にて、前記吸収性物品を前記長手方向に折り畳む折り畳み線を複数有し、
前記長手方向において、前記第２非肌側接合部の前側端は、最も後側に設けられた前記折り畳み線よりも前側に位置している、ことを特徴とする吸収性物品。
【請求項１１】
請求項１〜１０のいずれか１項に記載の吸収性物品であって、
少なくとも前記肌側シートと前記吸収体とを前記厚さ方向に圧搾する本体圧搾部を有し、
前記幅方向において、前記第３非肌側接合部は、前記本体圧搾部よりも外側に位置している、ことを特徴とする吸収性物品。
【請求項１２】
請求項１〜１１のいずれか１項に記載の吸収性物品であって、
前記サイドシートは、前記吸収体の前記幅方向における外側端と接合されていない、ことを特徴とする吸収性物品。
【発明の詳細な説明】
【技術分野】
【０００１】
本発明は、吸収性物品に関する。
【背景技術】
【０００２】
着用者の着衣に固定して使用する吸収性物品として、生理用ナプキン、パンティーライナー、及び吸収パッドがある。特許文献１に開示されたナプキン１のように、トップシート３が吸収性コア２１の肌側面及び側面を覆いつつ非肌側に折り返され、吸収性コア２１の非肌側面側でバックシート５に固定することで、装着性を向上させることが知られている。
【先行技術文献】
【特許文献】
【０００３】
【特許文献１】特開２０１６−２２１１３６
【発明の概要】
【発明が解決しようとする課題】
【０００４】
特許文献１に示された吸収性物品（ナプキン１）によれば、着用時において、着用者の両脚に挟まれることによって幅方向両側から内側に向かう圧縮力が加わった際に、トップシート３の折り返し部が変形することで、着用者の両脚に対する吸収性コア２１の当接圧が緩和され、吸収性物品１の装着性を向上させることができる。【０００５】
しかしながら、特許文献１の吸収性物品では、吸収性コア２１の肌側面及び側面がトップシート３によって覆われているため、トップシート３の肌側に付着した排泄物等が、吸収性コア２１に到達する前にトップシート３上を拡散して、幅方向の外側に排泄物が漏れてしまうおそれがある。【０００６】
本発明は、上記のような従来の問題に鑑みてなされたものであって、その目的は、吸収性物品の装着性を向上させつつ、幅方向の外側に排泄物が漏れてしまうことを抑制することにある。
【課題を解決するための手段】
【０００７】
上記目的を達成するための主たる発明は、互いに直交する長手方向、幅方向、及び厚さ方向を備え、吸収体と、前記厚さ方向において、前記吸収体より肌側に配置された肌側シートと、前記吸収体より非肌側に配置された非肌側シートと、を備えた吸収性物品であって、前記幅方向において前記吸収体の両側に設けられ、前記肌側シート及び前記非肌側シートとは別体のサイドシートを有し、前記サイドシートは、前記幅方向の外側端から前記肌側に折り返された肌側折り返し部と、前記非肌側に折り返された非肌側折り返し部と、を有し、前記肌側折り返し部の先端部は、前記長手方向に沿った一対の肌側接合部によって前記肌側シートの前記肌側に接合されており、前記非肌側折り返し部の先端部は、前記厚さ方向において前記吸収体と前記非肌側シートとの間で、前記長手方向に沿った一対の非肌側接合部によって前記非肌側シートに接合されており、前記非肌側接合部は、前記長手方向において中央部よりも前側の前側部に設けられた第１非肌側接合部と、前記中央部よりも後側の後側部に設けられた第２非肌側接合部と、少なくとも、前記第１非肌側接合部と、前記第２非肌側接合部との間に設けられた第３非肌側接合部と、を有し、前記幅方向において、前記第３非肌側接合部は、前記第１非肌側接合部及び前記第２非肌側接合部よりも内側に位置している、ことを特徴とする吸収性物品である。
本発明の他の特徴については、本明細書及び添付図面の記載により明らかにする。
【発明の効果】
【０００８】
本発明によれば、吸収性物品の装着性を向上させつつ、幅方向の外側に排泄物が漏れてしまうことを抑制することができる。
【図面の簡単な説明】
【０００９】
【図１】生理用ナプキン１（ナプキン１）を肌側から見た平面図である。
【図２】ナプキン１を非肌側から見た平面図である。
【図３】図１中のＡ−Ａ線におけるナプキン１の概略断面図である。
【図４】サイドシート６の構造について説明するための断面模式図である。
【図５】非肌側接合部４０の配置について説明する概略平面図である。
【図６】ナプキン１着用時におけるサイドシート６の変形について説明する概略断面図である。
【図７】ナプキン１着用時におけるサイドシート６の他の変形例について説明する概略断面図である。
【発明を実施するための形態】
【００１０】
本明細書及び添付図面の記載により、少なくとも以下の事項が明らかとなる。
互いに直交する長手方向、幅方向、及び厚さ方向を備え、吸収体と、前記厚さ方向において、前記吸収体より肌側に配置された肌側シートと、前記吸収体より非肌側に配置された非肌側シートと、を備えた吸収性物品であって、前記幅方向において前記吸収体の両側に設けられ、前記肌側シート及び前記非肌側シートとは別体のサイドシートを有し、前記サイドシートは、前記幅方向の外側端から前記肌側に折り返された肌側折り返し部と、前記非肌側に折り返された非肌側折り返し部と、を有し、前記肌側折り返し部の先端部は、前記長手方向に沿った一対の肌側接合部によって前記肌側シートの前記肌側に接合されており、前記非肌側折り返し部の先端部は、前記厚さ方向において前記吸収体と前記非肌側シートとの間で、前記長手方向に沿った一対の非肌側接合部によって前記非肌側シートに接合されており、前記非肌側接合部は、前記長手方向において中央部よりも前側の前側部に設けられた第１非肌側接合部と、前記中央部よりも後側の後側部に設けられた第２非肌側接合部と、少なくとも、前記第１非肌側接合部と、前記第２非肌側接合部との間に設けられた第３非肌側接合部と、を有し、前記幅方向において、前記第３非肌側接合部は、前記第１非肌側接合部及び前記第２非肌側接合部よりも内側に位置している、ことを特徴とする吸収性物品である。
【００１１】
このような吸収性物品によれば、着用者の股下部において、サイドシートが幅方向の内側に圧縮され、第３非肌側接合部を起点として肌側に起立するように変形することによって防漏壁が形成される。幅方向両側に設けられたサイドシートが変形することにより、着用者の鼠蹊部に対する肌当たりをソフトにしつつ、防漏壁によって排泄物の横漏れを抑制することができる。また、肌側シートとサイドシートとが別部材であることにより、肌側シートとサイドシートとのつなぎ目（段差）によって排泄物の移動が制限されやすく、排泄物の横漏れをより抑制しやすくなる。
【００１２】
かかる吸収性物品であって、前記幅方向において、前記第３非肌側接合部の外側端は、前記肌側折り返し部の先端よりも内側に位置している、ことが望ましい。
【００１３】
このような吸収性物品によれば、非肌側においてサイドシートが第３非肌側接合部の外側端を起点として折れ曲がり変形した際に、肌側において肌側折り返し部の全体が肌側に起立するように変形しやすくなる。これにより、防漏壁が十分に高く形成され、横漏れをより抑制しやすくすることができる。
【００１４】
かかる吸収性物品であって、前記サイドシートは、２枚以上のシート部材が積層された部分を有している、ことが望ましい。
【００１５】
このような吸収性物品によれば、２枚以上のシート部材が積層された部分においてサイドシートの強度が高くなると共に排泄物を浸透させ難くすることができる。これにより、サイドシートが防漏壁として起立した際に、排泄物の幅方向外側への移動が制限され、横漏れをより抑制しやすくすることができる。
【００１６】
かかる吸収性物品であって、前記サイドシートは、前記肌側折り返し部の先端にて、１枚のシート部材が折り返されて積層された２層構造を有している、ことが望ましい。
【００１７】
このような吸収性物品によれば、肌側折り返し部の先端で、サイドシートを構成するシート部材の端縁部（エッジ部）が露出しないため、当該シート部材のエッジ部が着用者の肌に食い込むこと等を抑制することができる。これにより、肌側折り返し部の先端における肌当たりが柔らかくなり、着用者に不快感を生じさせ難くすることができる。
【００１８】
かかる吸収性物品であって、前記サイドシートは、前記シート部材が積層されている部分において、対向する前記シート部材同士が接合されている部分と、接合されていない部分とを有している、ことが望ましい。
【００１９】
このような吸収性物品によれば、サイドシートを構成するシート部材同士が接合されてない部分に空隙が形成されることにより、当該空隙によって排泄物の移動を制限することができる。すなわち、サイドシートに対して排泄部（液体）が浸透し難くなることにより、排泄物の横漏れをより抑制しやすくすることができる。
【００２０】
かかる吸収性物品であって、前記肌側折り返し部の先端が、前記肌側シートと接合されていない、ことが望ましい。
【００２１】
このような吸収性物品によれば、肌側折り返し部の先端にドライエッジが形成され、先端部における剛性を低くすることができる。これにより、吸収性物品の着用時における当該先端部の肌当たりがより柔らかくなり、着用者に不快感を生じさせ難くすることができる。
【００２２】
かかる吸収性物品であって、前記肌側接合部では、前記サイドシートと前記肌側シートとが前記厚さ方向に圧搾されている、ことが望ましい。
【００２３】
このような吸収性物品によれば、サイドシートの剛性を高く、厚みを厚くすることができるため、防漏壁として肌側に起立しやすくすると共に、起立後の形状を維持しやすくさせることができる。また、圧搾加工によってシート部材同士が接合されるため、接着剤等を使用する場合と比較して通気性が高くなり、肌触りを良好なものとすることができる。
【００２４】
かかる吸収性物品であって、前記サイドシートは、前記肌側シートよりも疎水性の高いシート部材によって形成されている、ことが望ましい。
【００２５】
このような吸収性物品によれば、排泄物が、幅方向においてサイドシートの内側から外側に移動するよりも、厚さ方向において肌側シートの肌側から非肌側へ移動しやすくなる。これにより、排泄物の横漏れを抑制しつつ、排泄物を速やかに吸収体に吸収させやすくすることができる。
【００２６】
かかる吸収性物品であって、前記幅方向において、前記第３非肌側接合部が形成されている部分では、前記非肌側折り返し部が１層である、ことが望ましい。
【００２７】
このような吸収性物品によれば、サイドシートを構成するシート部材が２層以上である場合と比較して、第３非肌側接合部が形成されている部分の剛性が低くなり、サイドシートが変形しやすくなる。すなわち、第３接合領域を折れ曲がり起点として肌側折り返し部が起立しやすくなる。これにより、防漏壁が形成されやすくなり、排泄物の横漏れを抑制しやすくなる。
【００２８】
かかる吸収性物品であって、前記長手方向の所定位置にて、前記吸収性物品を前記長手方向に折り畳む折り畳み線を複数有し、前記長手方向において、前記第２非肌側接合部の前側端は、最も後側に設けられた前記折り畳み線よりも前側に位置している、ことが望ましい。
【００２９】
このような吸収性物品によれば、長手方向の最も後側に設けられた折り畳み線よりも後側の領域では、吸収体と第２非肌側接合部との幅方向における間隔が短くなり、サイドシート（防漏壁）が肌側に起立可能な高さを低くすることができる。したがって、吸収性物品の着用時に、着用者の臀部に位置する領域において吸収性物品が略平面形状に保たれやすくなり、着用者の臀部の丸みに沿ってフィットしやすくすることができる。
【００３０】
かかる吸収性物品であって、少なくとも前記肌側シートと前記吸収体とを前記厚さ方向に圧搾する本体圧搾部を有し、前記幅方向において、前記第３非肌側接合部は、前記本体圧搾部よりも外側に位置している、ことが望ましい。
【００３１】
このような吸収性物品によれば、幅方向の外側から内側に圧縮する力が作用した場合に、本体圧搾部よりも先に第３非肌側接合部を折れ曲がり起点としてサイドシート等が折れ曲がり変形を生じる。すなわち、本体圧搾部が折れ曲がり起点となってしまうことが抑制される。これにより、サイドシートを厚さ方向の肌側にしっかりと起立させ、防漏壁を形成させやすくすることができる。
【００３２】
かかる吸収性物品であって、前記サイドシートは、前記吸収体の前記幅方向における外側端と接合されていない、ことが望ましい。
【００３３】
このような吸収性物品によれば、サイドシートは、吸収体から独立して自在に変形することが可能となる。したがって、サイドシートが肌側に起立して防漏壁を形成しつつ、幅方向に潰れるように変形し圧縮力を緩和するクッションとしての機能を発揮しやすくなる。これにより、肌当たりを向上させつつ排泄物の横漏れを抑制することができる。
【００３４】
＝＝＝第１実施形態＝＝＝
以下、本発明に係る吸収性物品として生理用ナプキンを例に挙げて実施形態を説明するが、生理用ナプキンに限らず、パンティーライナー、又は軽失禁用パッド等のように、使用者の着衣に固定して使用する吸収性物品であればよい。
【００３５】
＜生理用ナプキン１の基本構成＞
図１は、生理用ナプキン１（以下「ナプキン１」ともいう）を肌側から見た平面図である。図２は、ナプキン１を非肌側から見た平面図である。図３は、図１中のＡ−Ａ線におけるナプキン１の概略断面図である。
【００３６】
ナプキン１は、互いに直交する長手方向、幅方向、及び厚さ方向を有する。ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。図中のＸ−Ｘ線は幅方向における中心線である。
【００３７】
ナプキン１は、長手方向の中央部から幅方向の両外側に延出した一対のウイング部１Ｗを有している。以下、ナプキン１の長手方向において、ウイング部１Ｗが設けられた部分を中央部１Ｂ、中央部１Ｂより前側の部分を前側部１Ａ、中央部１Ｂより後側の部分を後側部１Ｃという。
【００３８】
また、ナプキン１の幅方向の中央部には、肌側シート２、中間シート３、吸収体１０、バックシート４、及びサイドシート６を有している。厚さ方向の肌側から順に、肌側シート２、中間シート３、吸収体１０及びバックシート４が積層されており、サイドシート６は、肌側シート２の肌側面の幅方向の端部から吸収体１０の非肌側面の幅方向の端部に亘って配置されている。つまり、サイドシート６は、それぞれ各部材２、３、１０を厚さ方向に挟むように配置されている。本実施形態のサイドシート６は、少なくとも一部の領域においてシート部材が２層以上に積層された構造を有している。図３では、１枚のシート部材を折り返して重ね合わせることで２層構造が形成されているが、２枚のシート部材を厚さ方向に重ねて接合した構造等であっても良い。サイドシート６の詳細については、後で説明する。
【００３９】
肌側シート２、中間シート３、吸収体１０、バックシート４、及びサイドシート６はそれぞれホットメルト接着剤等の接着剤を用いて接合固定されている。接着剤は、各部材の肌面側及び非肌面側のそれぞれに亘って任意の塗布パターンで塗布されており、Ωパターンやスパイラルパターン、ストライプパターン等の塗布パターンから選択することができる。なお、図３等において、便宜上、接着剤を省略して示している。
【００４０】
肌側シート２は、液透過性のシート部材であり、綿のシートである。肌側シート２は、着用中において着用者の肌に直接接触する部分である。そのため、肌側シート２に親水性の天然繊維である綿を用いることで、着用者が感じる肌触りをより向上させることができる。特に、生理用ナプキンを着用する生理期間中は、着用者の肌は敏感になりやすいことが知られている。この点、ナプキン１の肌側シート２に綿を用いることで、着用者の肌への刺激を軽減し、着用者の肌の痒みやかぶれ等が起こるおそれを軽減させやすくしたり、視覚的に柔らかそうな印象を与えやすくなり、高級感を実感させたりすることができる。
【００４１】
中間シート３は、液透過性のシート部材であり、エアスルー不織布、スパンボンド不織布等を例示できる。ウイングシート５及びサイドシート６は、それぞれ疎水性のシート部材であり、エアスルー不織布、スパンボンド不織布等を例示できる。バックシート４は、液不透過性のシート部材であり、ポリエチレン（ＰＥ）の樹脂フィルム等を例示できる。バックシート４は、平面サイズが吸収体１０よりも大きく、吸収体１０の平面全体を覆っている。
【００４２】
ウイング部１Ｗは、肌側シート２等の幅方向の両側部から外側に延出しているウイングシート５及びバックシート４によって形成されている。なお、ナプキン１がウイング部１Ｗを有さない形態であってもよい。以下では、バックシート４とウイングシート５とを合わせて「非肌側シート７」とも呼ぶ場合がある。
【００４３】
吸収体１０は、排泄物を吸収して内部に保持する部材である。図３に示すように、吸収体１０は、吸収性コア１１と、吸収性コア１１を覆うカバーシート１２とを有している。吸収性コア１１は、液体吸収性繊維であるパルプ繊維やセルロース系吸収性繊維等に、液体吸収性粒状物である高吸収性ポリマー（所謂ＳＡＰ）等が加えられ、所定の形状に成形されたものである。カバーシート１２は、液透過性のシートであり、ティッシュ等を例示できる。
【００４４】
ナプキン１の非肌側面（つまり、バックシート４の非肌側面）には、接着剤が塗布される等した中央粘着部８が設けられている。中央粘着部８は、図２では長手方向に長辺を有する長方形状の１１個の中央粘着部８が幅方向に間隔を空けて配置されているが、中央粘着部８の形状、数、及び配置はこれに限られない。中央粘着部８がナプキン１の使用時に下着等の着衣の肌側面に貼り付けられることで、ナプキン１は下着等に固定される。
【００４５】
同様に、各ウイング部１Ｗの厚さ方向の非肌側面（バックシート４の非肌側面）には、ウイング粘着部９が設けられている。ウイング粘着部９は、図２では、長手方向に長辺を有する長方形状の４個のウイング粘着部９が幅方向に間隔を空けて配置されているが、ウイング粘着部９の形状、数、及び配置はこれに限られない。ナプキン１の使用時にウイング部１Ｗは非肌側に折り曲げられ、ウイング粘着部９は、下着等の非肌側面に貼り付けられる。これにより、ウイング部１Ｗは下着等に固定される。
【００４６】
また、ナプキン１は、複数の線状圧搾部Ｅｓ、複数の本体圧搾部Ｅｂ、及び複数の孔部Ｈを有している。図１及び図３に示すように、ナプキン１を肌側面から見ると、線状圧搾部Ｅｓ、本体圧搾部Ｅｂ、及び孔部Ｈを視認することができる。複数の線状圧搾部Ｅｓは、肌側シート２と中間シート３とが重ねられた領域の略全域に配置され、少なくとも肌側シート２に対して厚さ方向から圧搾加工を施すことによって形成されている。本実施形態では、１つの線状圧搾部Ｅｓが、肌側シート２及び中間シート３を厚さ方向から圧搾することによって１本の線状の圧搾部が形成されている。圧搾によって、肌側シート２の繊維密度と中間シート３の繊維密度が、圧搾をしていない部分よりもそれぞれ高くなっている。なお、ナプキン１の線状圧搾部Ｅｓは、ドット状（円形状）の圧搾部の集合によって線状となっているが、これに限られない。例えば、線状の圧搾部を有する線状圧搾部Ｅｓであってもよい。但し、ナプキン１のようにドット状（円形状）の圧搾部の集合による線状圧搾部Ｅｓとすることで、連続した線状の圧搾部の場合と比較して、肌側シート２及び中間シート３が過度に硬くなってしまうおそれを軽減し、着用時の肌触りを向上させることができる。
【００４７】
複数の孔部Ｈは、ナプキン１の長手方向の中央部及び幅方向の中央部に、略千鳥状に配置されている。孔部Ｈは、肌側から肌側シート２と中間シート３及び吸収体１０を貫通した平面視円形の孔である。ナプキン１の孔部Ｈは、肌側面から吸収体１０までピン等を突き刺すことによって形成されており、平面視において線状圧搾部Ｅｓを構成する１つの円形圧搾部の大きさよりも、孔部Ｈの大きさの方が大きい。なお、ナプキン１の孔部Ｈは、吸収体１０の非肌側面に達するぐらいの深さを有しているが、これに限られない。孔部Ｈの深さは、肌側から肌側シート２と中間シート３を貫通し、吸収体１０まで達していればよい。
【００４８】
本体圧搾部Ｅｂは、着用状態において着用者の膣口が当接すると考えられる領域を囲むような形状に設けられている。本体圧搾部Ｅｂは、肌側シート２と中間シート３と吸収体１０を厚さ方向から圧搾加工を施して、所望の形状に形成された圧搾部である。圧搾によって、肌側シート２の繊維密度と中間シート３の繊維密度、及び吸収体１０の繊維密度が、圧搾をしていない部分よりそれぞれ大きくなっている。
【００４９】
＜サイドシート６の詳細について＞
続いて、サイドシート６の構成及び機能の詳細について説明する。図４は、サイドシート６の構造について説明するための断面模式図である。同図４は、図３において吸収体１０及びサイドシート６の右側端部領域について拡大した図に相当する。
【００５０】
サイドシート６は、吸収体１０の幅方向の両側に一対、長手方向に沿って設けられた略矩形状の不織布等のシート部材からなり、図４のように幅方向における最も外側の端６ｅにて、厚さ方向の肌側及び非肌側に折り返されている。以下、サイドシート６のうち、厚さ方向の肌側に折り返された部分を肌側折り返し部６ｆ、非肌側に折り返された部分を非肌側折り返し部６ｂとする。
【００５１】
肌側折り返し部６ｆの先端（図４において、肌側折り返し部６ｆのうち幅方向における最も内側の端）６ｆｅは、厚さ方向において肌側シート２よりも肌側に配置されている。そして、肌側折り返し部６ｆは、先端６ｆｅ側の所定の領域（先端部）において、長手方向に沿って左右両側に形成された一対の肌側接合部３０，３０によって肌側シート２の肌側に接合されている。つまり、肌側折り返し部６ｆの非肌側の面と、肌側シート２の肌側の面とが肌側接合部３０によって接合されている。本実施形態において、肌側接合部３０は、サイドシート６と肌側シート２とを、エンボス加工等の公知の圧搾手段を用いて圧搾することによって形成される。
【００５２】
一方、非肌側折り返し部６ｂの先端（図４において、非肌側折り返し部６ｂのうち幅方向における最も内側の端）６ｂｅは、厚さ方向において吸収体１０と非肌側シート７との間に配置されている。なお、図４では、バックシート４及びサイドシート６によって非肌側シート７が構成されているが、バックシート４単体、若しくはサイドシート６単体を非肌側シート７として扱っても良い。また、吸収体１０よりも非肌側に、バックシート４やサイドシート６とは異なる別のシート部材を配置して、非肌側シート７としても良い。
【００５３】
そして、非肌側折り返し部６ｂは、先端６ｂｅ側の所定の領域（先端部）において、長手方向に沿って左右両側に形成された一対の非肌側接合部４０，４０によって非肌側シート７の肌側に接合されている。つまり、非肌側折り返し部６ｂの非肌側の面と、非肌側シート７の肌側の面とが非肌側接合部４０によって合されている。また、非肌側折り返し部６ｂの先端部の肌側面は、長手方向に沿って左右両側に形成された一対の吸収体接合部５０，５０によって吸収体１０の非肌側面と接合されている。
【００５４】
図５は、非肌側接合部４０の配置について説明する概略平面図である。非肌側接合部は、第１非肌側接合部４１、第２非肌側接合部４２、及び第３非肌側接合部４３の３つの接合部によって構成されている。各々の非肌側接合部４１〜４３は、ホットメルト接着剤等の接着材を長手方向に沿って帯状に塗布することによって形成されている。
【００５５】
第１非肌側接合部４１は、長手方向の中央部１Ｂより前側の前側部１Ａの一部において長手方向に沿って設けられている。同様に、第２非肌側接合部４２は、長手方向の中央部１Ｂより後側の後側部１Ｃの一部において長手方向に沿って設けられている。なお、第１非肌側接合部４１と第２非肌側接合部４２とは、幅方向の同じ位置に設けられている。また、図５に示されるように、第１非肌側接合部４１の後側端４１ｅｆと第２非肌側接合部４２の前側端４２ｅｆとによって挟まれた領域には接着剤が設けられておらず、当該領域は非接合部となっている。
【００５６】
第３非肌側接合部４３は、長手方向において、少なくとも第１非肌側接合部４１と、第２非肌側接合部４２との間に設けられている。すなわち、第３非肌側接合部４３は、少なくとも長手方向の中央部１Ｂに設けられている。なお、図５では、長手方向において、第３非肌側接合部４３の前側端４３ｅｆは、ナプキン１の前側端１ｅｆよりも後側に位置している。同様に、長手方向において、第３非肌側接合部４３の後側端４３ｅｂは、ナプキン１の後側端１ｅｂよりも前側に位置している。すなわち、第３非肌側接合部４３は、ナプキン１の長手方向の全域に亘って設けられているわけでは無い。しかしながら、第３非肌側接合部４３がナプキン１の長手方向の全域に亘って設けられていても良い。
【００５７】
そして、第３非肌側接合部４３は、幅方向において、第１非肌側接合部４１及び第２非肌側接合部４２よりも内側に位置している。したがって、幅方向において、吸収体１０の最も外側の端１０ｅと第３非肌側接合部４３の外側の端４３ｅｏとの間隔ｈ３は、吸収体１０の最も外側の端１０ｅと第１非肌側接合部４１の外側の端４１ｅｏ（第２非肌側接合部４２の外側の端４２ｅｏ）との間隔ｈ１（＝ｈ２）よりも大きくなっている（ｈ３＞ｈ１，ｈ２）。
【００５８】
また、サイドシート６は、図４に示されるように、１枚のシート部材を肌側折り返し部６ｆの先端（幅方向の内側端）６ｆｅにて、幅方向の反対側に折り返し、シート部材同士を積層させることによって形成されている。シート部材同士が積層されている部分では、対向するシート部材間にホットメルト接着剤等の接着材を間欠的に塗布することによって形成された複数のサイドシート接合部６０によってシート部材同士を接合している。サイドシート接合部６０は、例えば、長手方向に延びる帯状の接着部がサイドシート６の幅方向に沿って複数並ぶようにして形成されている。なお、本実施形態では１枚のシート部材を折り曲げて重ね合わせることによって２層構造のサイドシート６が形成されているが、異なる２枚のシート部材を重ね合わせて接合することによってサイドシート６が形成されるのであっても良い。
【００５９】
このような構造のサイドシート６は、ナプキン１の着用時において一部が変形することによって、ナプキン１の防漏性を高めたり、着用者の鼠蹊部におけるクッション性を高めたりする機能を有する。図６は、ナプキン１着用時におけるサイドシート６の変形について説明する概略断面図である。同図６では、サイドシート６が図４の状態から変形したときの様子について表している。
【００６０】
ナプキン１の着用時には、着用者の股下において中央部１Ｂが着用者の両脚の間（鼠蹊部）に挟まれ、ナプキン１を幅方向の両外側から内側に圧縮する力が作用する。したがって、幅方向の両外側に設けられているサイドシート６に対しても幅方向内側に向かう圧縮力が作用する。上述したように、サイドシート６はスパンボンド不織布等の柔らかい素材によって形成されているため、当該圧縮力を受けることによって形状が変形する。
【００６１】
具体的には、吸収体１０の非肌側において、第３非肌側接合部４３の幅方向における外側端４３ｅｏを起点としてサイドシート６（非肌側折り返し部６ｂ）が肌側に起立するように折れ曲がり変形を生じる。第３非肌側接合部４３（外側端４３ｅｏ）よりも幅方向外側の領域には、サイドシート６や吸収体１０のカバーシート１２等、剛性の低いシート部材が配置されており、圧縮力を受けることによって変形を生じやすい。一方、サイドシート６（非肌側折り返し部６ｂ）が第３非肌側接合部４３を介して非肌側シート７と接合されている領域では剛性が高くなっており、変形が生じ難い。つまり、外側端４３ｅｏを境界としてサイドシート６に剛性差が生じている。したがって、サイドシート６は、非肌側において外側端４３ｅｏを起立起点として折れ曲がり変形を生じやすい。
【００６２】
なお、図５の破線で示されるように、吸収体１０のうち吸収性コア１１は、着用者の股下部（ナプキン１の中央部１Ｂ）において幅方向における長さ（幅）が狭くなったくびれ部１１ｃを有している。そのため、股下部（中央部１Ｂ）では、剛性の高い吸収性コア１１によってサイドシート６の変形が阻害されてしまう可能性は低い。つまり、サイドシート６は、少なくとも図５の幅方向における間隔ｈ３の範囲で自在に変形可能である。
【００６３】
一方、吸収体１０の肌側においては、幅方向の内側に圧縮されたサイドシート６の一部が厚さ方向の肌側に押し出されるように変形する。その結果、サイドシート６は、図６のように肌側に起立して、所謂、防漏壁を形成する。上述のように、サイドシート６は、図５の幅方向における間隔ｈ３の広い範囲で変形可能なため、肌側に押し出される生地の量も多くなり、その分防漏壁を高く形成することができる。
【００６４】
このように、本実施形態のナプキン１では、幅方向両側に設けられたサイドシート６が幅方向の内側に圧縮されることによって変形し、肌側に突出した防漏壁を形成する。これにより、肌側シート２によって吸収された排泄物等が、肌側シートの表面から幅方向の外側に漏れ出してしまうことが抑制される。その際、着用者の鼠蹊部に挟まれたナプキン１において、サイドシート６が幅方向に潰れながら変形することにより、鼠蹊部に対するクッションとして機能し、ナプキン１の着用時における肌当たりが向上する。
【００６５】
上述したように、ナプキン１では、第３非肌側接合部４３が、第１非肌側接合部４１及び第２非肌側接合部４２よりも幅方向の内側に設けられていることにより、吸収体１０と第３非肌側接合部４３との幅方向における間隔ｈ３が広くなっている。したがって、幅方向の圧縮力が作用した際に、サイドシート６が大きく変形しやすく、クッション性や防漏性が十分に確保されやすい。
【００６６】
さらに、ナプキン１では、肌側シート２とサイドシート６とが別体の部材によって形成されているため、図６のように肌側シート２の肌側面とサイドシート６（肌側折り返し部６ｆ）の先端６ｆｅとの間に、厚さ方向の段差が形成されている。したがって、肌側シート２において、排泄物が、幅方向の内側から外側に移動しようとしても、先端６ｆｅの段差によって移動が制限されやすくなる。これにより、排泄物の横漏れをより効果的に抑制することができる。
【００６７】
また、図４に示されるように、ナプキン１の第３非肌側接合部４３は、幅方向において、肌側折り返し部６ｆの先端６ｆｅよりも内側に配置されている。言い換えると、肌側折り返し部６ｆの先端６ｆｅは、第３非肌側接合部４３の幅方向における外側端４３ｅｏよりも幅方向の外側に位置している。したがって、サイドシート６が非肌側において第３非肌側接合部４３の外側端４３ｅｏを起点として起立すると、サイドシート６のうち該外側端４３ｅｏよりも幅方向外側に位置している部分において変形が生じやすくなる。つまり、肌側折り返し部６ｆの全体が肌側に起立するように変形しやすくなる（図６参照）。これにより、防漏壁が十分に高く形成され、横漏れをより抑制しやすくすることができる。
【００６８】
また、ナプキン１において、サイドシート６の少なくとも一部は、不織布等のシート部材が２枚以上積層されることによって形成されている。このように、２枚以上のシート部材が積層された部分を有していることにより、当該積層部分においてサイドシート６の強度が高くなると共に排泄物を浸透させ難くすることができる。したがって、サイドシート６が防漏壁として起立した際に、排泄物の幅方向外側への移動が制限され、排泄物の横漏れをより抑制しやすくすることができる。なお、上述の例では、２層構造のサイドシート６について説明されていたが、サイドシート６が３層以上の積層構造を有していても良い。このようにすれば、排泄物の横漏れをより抑制しやすくすることができる。
【００６９】
なお、本実施形態におけるサイドシート６は、１枚のシート部材が肌側折り返し部６ｆの先端６ｆｅにおいて折り返され、積層されることによって２層構造となっている。つまり、肌側折り返し部６ｆの先端６ｆｅではサイドシート６を構成するシート部材（不織布等）の端縁部（エッジ部）が露出しない構造となっている。図４や図６から明らかなように、この先端６ｆｅは、ナプキン１の着用時に着用者の肌と直接接触する可能性の高い部位である。そのため、仮に先端６ｆｅにおいてシート部材のエッジが露出していた場合、ナプキン１を着用する際に当該シート部材のエッジが着用者の肌に食い込む等により、着用者に不快感を生じさせるおそれがある。これに対して、本実施形態では、先端６ｆｅにおいてシート部材が折り返されていることにより、当該先端６ｆｅにおける肌当たりが柔らかくなり、着用者に不快感を生じさせ難くすることができる。
【００７０】
そして、この肌側折り返し部６ｆの先端（幅方向における最も内側の端）６ｆｅでは、サイドシート６が肌側シート２と接合されていない。また、先端６ｆｅでは、積層されたサイドシート６同士も接合されていない。つまり、肌側折り返し部６ｆの先端６ｆｅには接合部が形成されておらず、所謂、ドライエッジとなっており、剛性が低くなっている。これにより、ナプキン１着用時における先端６ｆｅの肌当たりがより柔らかくなり、着用者に不快感を生じさせ難くすることができる。
【００７１】
また、サイドシート６の肌側折り返し部６ｆは、エンボス加工等の圧搾手段を用いて形成された肌側接合部３０によって肌側シート２と接合されている。肌側折り返し部６ｆと肌側シート２とが積層された状態で互いに接合されていることにより、当該肌側接合部３０が設けられている領域において、サイドシート６の剛性が高くなり、また、厚みを厚くすることができる。したがって、図６のように肌側折り返し部６ｆを、防漏壁として肌側に起立させやすくすると共に、起立後の形状を維持しやすくさせることができる。さらに、圧搾（エンボス加工）によって肌側接合部３０が形成されていることにより、ホットメルト接着剤等を広範囲に塗布することによって肌側接合部３０が形成されている場合と比較して、通気性が向上し、サイドシート６の剛性が高くなってしまう部分の面積を小さくすることができる。これにより、サイドシート６（防漏壁）の肌触りを良好なものとすることができる。
【００７２】
また、圧搾された肌側接合部３０が、幅方向において、肌側折り返し部６ｆの先端（幅方向における最も内側の端）６ｆｅよりも外側に設けられているため、上述のように、先端６ｆｅにおいてドライエッジが形成されやすく、ナプキン１着用時における肌触りを柔らかくすることができる。
【００７３】
また、サイドシート６は肌側シート２よりも疎水性の高いシート部材（不織布等）によって形成されている。なお「疎水性」とは、シート部材の表面に液体が滴下された場合において該シート部材液体が広がりにくい特性をいう。本実施形態のサイドシート６は、滴下された液体が９０°より大きい接触角を有する状態となる特性を有するものが好ましい。このような構成であれば、排泄物が肌側シート２側からサイドシート６を透過して幅方向の外側に漏出してしまうことを抑制しやすくなる。また、排泄物は、幅方向においてサイドシート６の内側から外側に移動するよりも、厚さ方向において肌側シート２の肌側から非肌側（吸収体１０側）へ移動しやすくなる。これにより、排泄物が速やかに吸収体１０に吸収されやすくなり、排泄物の漏出をより抑制しやすくすることができる。
【００７４】
また、第３非肌側接合部４３が設けられている部分では、サイドシート６（非肌側折り返し部６ｂ）が単層（１層）構造となっている。上述したように、本実施形態のサイドシート６は、基本的に、シート部材が積層された２層構造を有している。しかしながら、図４に示されるように、非肌側折り返し部６ｂの一部では、シート部材が２層構造を有していない。具体的に、非肌側折り返し部６ｂを構成する２層のシート部材（不織布）のうち、一方のシート部材の幅方向における内側の端６ｂｅ１と、他方のシート部材の幅方向における内側の端６ｂｅ２との位置が、幅方向においてずれている。すなわち、非肌側折り返し部６ｂは、幅方向において端６ｂｅ１と端６ｂｅ２との間の領域で、単層構造を有している。したがって、当該領域ではサイドシート６が２層構造である場合と比較して剛性が低くなり、折れ曲がり変形を生じやすいため、非肌側折り返し部６ｂが第３非肌側接合部４３を折れ曲がり起点として起立しやすくなる。これにより、防漏壁が形成されやすくなり、排泄物の横漏れが抑制されやすくなる。
【００７５】
ところで、ナプキン１を製品として市場に流通させる際には、図５に示されるような長手方向の所定位置に設けられた折り畳み線Ｆ１及びＦ２にて、ナプキン１が長手方向に３つ折りに畳まれ、所定の包装材によって包装された個包装体（不図示）の状態とされる。そして、ナプキン１では、長手方向において、第２非肌側接合部４２の前側の端４２ｅｆが、最も後側に設けられている折り畳み線（図５ではＦ２）よりも前側に位置している。したがって、図５では、長手方向において、最も後側に配置されている折り畳み線Ｆ２よりも後側の全域に、第２非肌側接合部４２が設けられていることとなる。この折り畳み線Ｆ２よりも後側の領域は、ナプキン１の後側部１Ｃに含まれ、ナプキン１の着用時には、着用者の臀部に位置する領域である。したがって、折り畳み線Ｆ２よりも後側の領域では、サイドシート６を肌側に起立させること無く、ナプキン１が着用者の臀部の丸みに沿った略平面形状を保っていることが望ましい。
【００７６】
本実施形態では、折り畳み線Ｆ２よりも後側において、吸収体１０と第２非肌側接合部４２との幅方向における間隔ｈ２が短く、サイドシート６が自在に変形可能な部分の面積が狭くなっている。したがって、折り畳み線Ｆ２よりも後側の領域では、サイドシート６が肌側に高く起立することが抑制され、着用者の臀部にフィットしやすくなる。
【００７７】
なお、長手方向において、最も前側に配置されている折り畳み線Ｆ１よりも前側の領域においても、吸収体１０と第１非肌側接合部４１との幅方向における間隔ｈ１が短くなっており、サイドシート６が肌側に起立し難くなっている。この領域は、おむつ１の着用時において着用者の腹部に位置する領域であることから、ナプキン１が着用者の腹部の形状に沿って略平面形状を保っていることが望ましい。ナプキン１では、当該領域においてサイドシート６が肌側に高く起立することが抑制されることから、着用者の腹部でもナプキン１をフィットさせやすくすることができる。
【００７８】
また、図５に示されるように、幅方向において、第３非肌側接合部４３は本体圧搾部Ｅｂよりも外側に位置している。本体圧搾部Ｅｂは肌側シート２と中間シート３と吸収体１０とを厚さ方向に圧搾していることから、ナプキン１に対して幅方向内側に向かう圧縮力が作用した場合、本体圧搾部Ｅｂにおいて折れ曲がり起点が形成されてしまうおそれがある。これに対して、本実施形態では、ナプキン１に対して幅方向内側に向かう圧縮力が作用した場合に、本体圧搾部Ｅｂよりも先に第３非肌側接合部４３に折れ曲がり起点が形成され、サイドシート６が折れ曲がり変形を生じるため、本体圧搾部Ｅｂが折れ曲がり起点となる可能性は低い。したがって、サイドシート６をしっかりと厚さ方向の肌側に起立させ、防漏壁を形成させやすくすることができる。
【００７９】
また、ナプキン１では、サイドシート６を構成するシート部材（不織布等）が積層されている部分において、対向するシート部材同士を接合するサイドシート接合部６０が間欠的に配置されている（図４参照）。すなわち、サイドシート６のうちシート部材が積層されている領域には、シート部材同士が接合されている部分（サイドシート接合部６０が設けられている部分）と、シート部材同士が接合されていない部分（サイドシート接合部６０が設けられていない部分）とが交互に配置されている。このようにサイドシート接合部６０が間欠的に配置されていることにより、シート部材同士が接合されていない部分に空隙が形成され、サイドシート６において排泄物を浸透させ難くすることができる。すなわち、サイドシート６を構成するシート部材の繊維に沿って厚さ方向に移動する排泄物（水分）が、積層部間に形成された空隙によって移動経路を遮断されてそれ以上移動し難くなる。これにより、排泄物の横漏れが抑制されやすくなる。
【００８０】
また、吸収体１０の幅方向における外側の端１０ｅと、サイドシート６とは互いに接合されていない（図４参照）。これにより、サイドシート６は、吸収体１０とは独立して自在に変形することが可能となる。したがって、図６のように肌側に起立して防漏壁を形成しつつ、幅方向に潰れるように変形し、圧縮力を緩和するクッションとしての機能を発揮することができるようになる。
【００８１】
ナプキン１の着用時に、サイドシート６が肌側に起立するように変形して防漏壁を形成することを説明したが、サイドシート６は、不織布等の柔らかいシート部材によって構成されているため、必ずしも図６で説明したように変形するとは限らない。図７は、ナプキン１着用時におけるサイドシート６の他の変形例について説明する概略断面図である。同図７では、図６の場合と同様に、ナプキン１に対して幅方向の両外側から内側に圧縮する力が作用したときの状態について示している。
【００８２】
図７において、厚さ方向の非肌側では、図６の場合と同様に、サイドシート６の非肌側折り返し部６ｂが、第３非肌側接合部４３（端４３ｅｆ）を起点として折れ曲がり、肌側に起立する。すなわち、防漏壁の起立起点は図６の場合と同じである。一方、厚さ方向の肌側では、肌側折り返し部６ｆの先端６ｆｅが肌側に向かって起立する。すなわち、肌側折り返し部６ｆの先端６ｆｅが頂点となるように、防漏壁が形成される。このような場合であっても、上述のように、サイドシート６が幅方向に潰れるように変形することで着用者の鼠蹊部に対する肌当たりを向上させつつ、変形したサイドシート６が肌側に立ち上がって防漏壁を形成することにより、排泄物の横漏れ等を効果的に抑制することができる。なお、図７の場合、側折り返し部６ｆの先端６ｆｅが着用者の肌側に立ち上がることによって、着用者の肌とより接触しやすくなっている。しかしながら、ナプキン１では、上述のように先端６ｆｅにてシート部材が折り返されてエッジが露出していないこと等によって、当該部分における肌当たりを柔らかく保つことが可能であり、着用者に不快感を生じさせにくくすることができる。
【００８３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００８４】
上述の実施形態においては、線状圧搾部Ｅｓ、本体圧搾部Ｅｂ、及び孔部Ｈをそれぞれ複数配置したが、これに限られない。それぞれ１つずつ配置してもよいし、又はそれぞれの数をナプキン１の肌触りの度合いや排泄物の量に応じて適宜変更してもよい。同様に、線状圧搾部Ｅｓ、本体圧搾部Ｅｂ、及び孔部Ｈの形状や大きさについても適宜変更可能である。
【００８５】
上述の実施形態においては、高吸収性ポリマーが加えられた液体吸収性繊維を成形した吸収性コア１１を用いたが、これに限られない。例えば、高吸収性ポリマーのみからなるシート材の吸収性コア１１であってもよいし、液体吸収性繊維のみからなる吸収性コア１１であってもよい。また、必ずしもカバーシートを用いる必要はなく、吸収性コア１１だけで吸収体１０を形成するものであってもよい。
【符号の説明】
【００８６】
１  ナプキン（吸収性物品）、
１Ａ  前側部、１Ｂ  中央部、１Ｃ  後側部、１Ｗ  ウイング部、
２  肌側シート、３  中間シート、
４  バックシート、５  ウイングシート、
６  サイドシート、６ｅ  端、
６ｆ  肌側折り返し部、６ｆｅ  端、
６ｂ  非肌側折り返し部、６ｂｅ  端、６ｂｅ１  端、６ｂｅ２  端、
７  非肌側シート、
８  中央粘着部、９  ウイング粘着部、
１０  吸収体、１０ｅ  端、
１１  吸収性コア、１２  カバーシート、
３０  肌側接合部（圧搾部）、
４０  非肌側接合部、
４１  第１非肌側接合部、４１ｅｏ  端、
４２  第２非肌側接合部、４２ｅｏ  端、４２ｅｆ  端（前側）、
４３  第３非肌側接合部、４３ｅｏ  端、
５０  吸収体接合部、
６０  サイドシート接合部、
Ｅｓ  線状圧搾部、Ｅｂ  本体圧搾部、Ｈ  孔部
【図１】
2020095953.tif 000003
【図２】
2020095953.tif 000004
【図３】
2020095953.tif 000005
【図４】
2020095953.tif 000006
【図５】
2020095953.tif 000007
【図６】
2020095953.tif 000008
【図７】
2020095953.tif 000009
【国際調査報告】
2020095953.tif 000010
2020095953.tif 000011
2020095953.tif 000012
2020095953.tif 000013